(57)【特許請求の範囲】
【請求項１】
仏具を配置するための壇部を有する仏壇本体、その仏壇本体を載置する下台、及び前記仏壇本体と前記下台とを連結する剛性軸を備えた耐震仏壇であり、
前記仏壇本体の下部が正面開口部に開閉扉を設けた納骨室とされ、
前記仏壇本体と前記下台には、それぞれその背面側において前記剛性軸を嵌入するための少なくとも２つの貫通孔が上下方向に連通する状態に穿設されていると共に、
前記仏壇本体には前記貫通孔が前記納骨室内に開口され、前記開閉扉を開放した状態での前記納骨室内において前記貫通孔に対する前記剛性軸の抜き差しが可能とされていることを特徴とする耐震仏壇。
【請求項２】
前記剛性軸は、前記納骨室の床面上から前記下台の高さ方向中間部まで達する長さを有していることを特徴とする請求項１記載の耐震仏壇。
【請求項３】
前記剛性軸の上端には、前記貫通孔の孔径より大きい大径部が形成されていることを特徴とする請求項１、又は２記載の耐震仏壇。
【発明の詳細な説明】
【技術分野】
【０００１】
本発明は、仏壇本体を載置する下台を備えた仏壇に係わり、特に地震に際して仏壇本体の転倒を防止できるようにした耐震仏壇に関する。
【背景技術】
【０００２】
従来、位牌や線香立てといった仏具を収容する仏壇として、仏具を配置するための壇部を有する仏壇本体のみから構成されるもののほか、仏壇本体を載置する下台を備えたものが知られている。
【０００３】
尚、仏壇本体の下部は、正面開口部に開閉扉を設けた納骨室（納骨堂）とされることが通例である。係る納骨室は本来、遺骨を収納するための領域であるが、近年では遺骨の収納に利用されることは少なく、全くの空室とされるか、遺骨とは関係のない小物類の収納に利用されていることが多い。
【０００４】
ここに、下台を備える仏壇では、仏壇本体を下台に固定せず、単に下台上に載置されることが少なくない。このため、地震に際して重心が高い位置にある仏壇本体が前後に揺れ、仕舞いにバランスを崩して転倒してしまうことがあった。
【０００５】
そこで、下台付仏壇のような上下二段構造の家具にして、上部構造体の転倒を防止するべく上部構造体と下部構造体の両者をその背面側にて金属板で結合することが一般に広く行われている（例えば、特許文献１）。
【先行技術文献】
【特許文献】
【０００６】
【特許文献１】特開平８−２５６８５９号公報
【発明の概要】
【発明が解決しようとする課題】
【０００７】
しかしながら、仏壇本体と下台とをその背面側において金属板で結合した仏壇では、その設置作業が極めて困難となる。すなわち、仏壇は、それよりも若干幅の広い仏間内に設置され、あるいは室内の壁に背面が密着するようにして設置されることが通例であるところ、仏壇本体と下台とを所定の位置に設置した後、その背面側において両者を金属板で結合することはできず、両者を金属板により予め結合して重量の大きい一体構造物としてから所定の位置に移動設置しなければならないので、その移動に係る作業者の肉体的負担が大きく、大型の仏壇では所定の位置への移動設置が行えなくなる。
【０００８】
本発明は以上のような事情に鑑みて成されたものであり、その目的は下台上に仏壇本体が載置される仏壇にして、仏間内など所定位置への設置が楽で、設置後に耐震性を付与することのできる耐震仏壇を提供することにある。
【課題を解決するための手段】
【０００９】
上記目的を達成するため、本発明に係る耐震仏壇は、
仏具を配置するための壇部１１ａ，１１ｂ，１１ｃを有する仏壇本体１、その仏壇本体１を載置する下台２、及び前記仏壇本体１と前記下台２とを連結する剛性軸３を備えた耐震仏壇であり、
前記仏壇本体１の下部が正面開口部１２ａに開閉扉１３を設けた納骨室１２とされ、
前記仏壇本体１と前記下台２には、それぞれその背面側において前記剛性軸３を嵌入するための少なくとも２つの貫通孔１９，２３が上下方向に連通する状態に穿設されていると共に、
前記仏壇本体１には前記貫通孔１９が前記納骨室１２内に開口され、前記開閉扉１３を開放した状態での前記納骨室１２内において前記貫通孔１９，２３に対する前記剛性軸３の抜き差しが可能とされていることを特徴とする。
【００１０】
加えて、前記剛性軸３は、前記納骨室１２の床面上から前記下台２の高さ方向中間部まで達する長さを有していることを特徴とする。
【００１１】
又、前記剛性軸３の上端には、前記貫通孔１９，２３の孔径より大きい大径部３２が形成されていることを特徴とする。
【発明の効果】
【００１２】
本発明に係る耐震仏壇によれば、仏壇本体と下台との背面側に少なくとも２つの貫通孔が上下方向に連通する状態に穿設され、それら貫通孔に剛性軸が嵌入される構成としていることから、地震発生時において仏壇本体が回転したり前後左右に揺れて下台上から転落してしまったりすることを防止できる。
【００１３】
しかも、仏壇本体の下部に設けられる納骨室内において貫通孔への剛性軸の抜き差しが可能とされていることから、係る耐震仏壇を仏間内に設置する場合、先ず下台を仏間内に収め、次いでその下台上に仏壇本体を載置し、その後に正面開口部から納骨室内に手を入れて貫通孔への剛性軸の嵌入を行うことができる。このため、仏壇本体と下台とを両者の背面に取り付けられる金具で連結する構成の従来品に比べ、設置にかかる肉体的負担を大幅に軽減することができる。
【００１４】
加えて、剛性軸が納骨室の床面上から下台の高さ方向中間部まで達する長さを有した構成では、地震に際して仏壇本体が上下方向に揺れても、剛性軸が貫通孔から抜けてしまうことを防止できる。
【００１５】
又、剛性軸の上端に貫通孔の孔径より大きい大径部が形成されている態様では、これが自重により仏壇本体側の貫通孔を通り抜けて下台内に落下してしまうことを防止することができる。
【図面の簡単な説明】
【００１６】
【図１】本発明に係る耐震仏壇の一実施形態を示す正面図
【図２】図１に示した耐震仏壇を構成する仏壇本体の下部を示す部分断面図
【図３】図１に示した耐震仏壇を構成する下台の断面図
【図４】仏壇本体と下台との連結部分を示す断面図
【図５】本発明に係る耐震仏壇の要部を示す斜視分解図
【発明を実施するための形態】
【００１７】
以下、図面に基づいて本発明を詳しく説明する。先ず、図１において、１は本発明に係る耐震仏壇を構成する仏壇本体、２は仏壇本体１を載置する下台である。
【００１８】
仏壇本体１は前面開口した木製の箱型であり、図示例では高さ約１３０ｃｍ、幅約６０ｃｍ、奥行き約５０ｃｍとされている。そして、係る仏壇本体１の内部には仏具を配置するための複数段の壇部１１ａ，１１ｂ，１１ｃが形成されている。尚、それら壇部１１ａ，１１ｂ，１１ｃに配置される仏具としては、位牌、仏像、線香立て、蝋燭立て、並びに御鈴などが挙げられる。
【００１９】
又、仏壇本体１の下部には、遺骨あるいは小物類を収納可能な納骨室１２（納骨堂）が形成されている。係る納骨室１２は、その前面側が収納物を出し入れするための正面開口部１２ａとして開口された小部屋であり、その正面開口部１２ａは開閉扉１３を有して開閉可能とされている。尚、図示例において、開閉扉１３は左右一対の引き戸とされているが、これを開き戸としてもよい。
【００２０】
一方、下台２は、仏壇本体１を支持する木製の中空台座であり、図示例では高さ約４０ｃｍ、幅約６０ｃｍ、奥行き約５７０ｃｍとされている。又、下台２の内部は物品収納庫２１とされている。係る物品収納庫２１もその前面側が開口され、その開口部分が左右一対の引き戸２２により開閉可能とされている。
【００２１】
次に、図２において、１４は仏壇本体１の背面を成す背板、１５は仏壇本体１の下部構造を成す下枠、１６は下枠１５を形成する後部縁部材、１７は下枠１５の上方に設けた床板であり、その床板１７は納骨室１２の底面を成し、且つ納骨室１２の前方において上記の壇部１１ａを形成している。又、図２から明らかなように、下枠１５と床板１７との間にはスライド板１８（膳引き）が設けられている。スライド板１８は、前後方向（図２の左右方向）に摺動自在とされた木板で、これを引き出すことにより、その上に供え物等を配置することが可能とされている。
【００２２】
更に、仏壇本体１の下部背面側には、スライド板１８の可動範囲よりも後方において貫通孔１９が穿設されている。図示例において、係る貫通孔１９は、床板１７の上面に直交する垂線上において床板１７および後部縁部材１６に穿設されており、その上端が納骨室１２内に開口されている。
【００２３】
一方、図３において、下台２の上部背面側にも貫通孔２３が穿設されている。図示例において、係る貫通孔２３は、下台２の上面を成す天板２４および上枠２５を形成する後部縁部材２６に穿設されている。特に、貫通孔２３は、下台２上に仏壇本体１を載置したとき、仏壇本体１の貫通孔１９と対向する位置に穿設され、それら貫通孔１９，２３が同一直線上にあって上下方向に連通するようになっている。
【００２４】
そして、本発明に係る耐震仏壇によれば、貫通孔１９，２３に対して仏壇本体１側から後述する剛性軸を嵌入することにより、その剛性軸を介して仏壇本体１と下台２とを連結することが可能とされている。
【００２５】
図４は剛性軸により仏壇本体１と下台２とが連結された状態を示す。図４において、３は上記の剛性軸であり、図示例では係る剛性軸３として、貫通孔１９，２３に嵌入される軸部３１の一端（上端）に貫通孔１９，２３の孔径よりも大きい大径部３２をもつ鋼鉄製の長ボルトが用いられている。
【００２６】
特に、剛性軸３は納骨室１２の床面（床板１７）上から下台２の高さ方向中間部まで達する長さを有し、図示例においてその長さが約３０ｃｍとされている。これによれば、地震に際して仏壇本体１が上下方向に揺れても、剛性軸３が貫通孔１９，２３から抜けてしまうことがなく、前後左右方向に振動荷重が作用した場合でも、係る剛性軸３により仏壇本体１の揺れを抑えて当該仏壇本体１が下台２上から転落してしまうことを防止することができる。
【００２７】
尚、地震による仏壇本体１のガタツキを抑制する観点から、剛性軸３はその軸部３１の直径を貫通孔１９，２３の孔径と同一とすることが好ましい。又、剛性軸３を不可視とする観点から、貫通孔１９の周囲に大径部３２を落し込む凹部を形成したり、下台２内において剛性軸３の前方となる位置に図示せぬ遮蔽板を設けたりすることが好ましい。更に、図４のように、大径部３２をもつ剛性軸３であれば、これが貫通孔１９を通り抜けて下台２内に落下してしまうことを防止できるので好ましいが、大径部３２を省略し、剛性軸３の下端が例えば物品収納庫２１の底面に突き当たり、その上端が納骨室１２内に突出するような態様としてもよい。
【００２８】
ここに、剛性軸３は、納骨室１２内において貫通孔１９，２３に対する抜き差しが可能とされている。詳しくは、開閉扉１３を開放し、正面開口部１２ａから納骨室１２内に剛性軸３を入れ、その剛性軸３を納骨室１２で縦向きにして貫通孔１９，２３に嵌入することが可能とされている。これによれば、係る耐震仏壇を図示せぬ仏間内に設置する場合、先ず下台２を仏間内に収め、次いでその下台２上に仏壇本体１を載置し、その後に正面開口部１２ａから納骨室１２内に手を入れて貫通孔１９，２３への剛性軸３の嵌入を行うことができる。このため、従前に比べ設置にかかる肉体的負担を大幅に軽減することができる。
【００２９】
又、図５から明らかなように、貫通孔１９，２３は仏壇本体１および下台２の幅方向に沿ってそれぞれ２つ並列に設けられ、そのそれぞれに剛性軸３が嵌入されるようになっている。このため、地震発生時において、仏壇本体１が回転してしまうこともない。
【００３０】
尚、上記のように仏壇本体１と下台２とがその背面側において剛性軸３により連結される構成では、仏壇本体１に前方への振動荷重が作用したとき剛性軸３に作用する曲げモーメントを小さくすることができ、後方への振動荷重は仏壇本体１の背後に控える壁が受けるので剛性軸３に大きな曲げモーメントが作用することを防止できる。
【００３１】
以上、本発明の具体例を説明したが、剛性軸３を嵌入するための貫通孔１９，２３は仏壇本体１と下台２に、２つずつ穿設することに限らず、３つ以上穿設してもよい。
【符号の説明】
【００３２】
１  仏壇本体
１１ａ，１１ｂ，１１ｃ  壇部
１２  納骨室
１２ａ  正面開口部
１３  開閉扉
１９  貫通孔
２  下台
２３  貫通孔
３  剛性軸
３１  軸部
３２  大径部
【図１】
0005513452.tif 000002
【図２】
0005513452.tif 000003
【図３】
0005513452.tif 000004
【図４】
0005513452.tif 000005
【図５】
0005513452.tif 000006